(57)【要約】【課題】薄型化が可能なエレベータかごの照明装置を提供する。【解決手段】エレベータかごの照明装置は、エレベータかごの天井に装着される基板と、基板に設けられて円形蛍光灯などの照明灯を周方向に離間した複数の位置で支持する支持金具と、支持金具先端に設けられたフック状の係止部と、係止部に着脱式に係止される係合穴を持ち、支持金具によって支持された光の拡散板とを備えている。【効果】エレベータかごの照明装置を光ムラを抑えて薄型化できる。【選択図】図５
2009196763.tif 000002
【特許請求の範囲】
【請求項１】
エレベータかごの頂壁に装着される基板と、
上記基板に設けられて照明灯を支持する支持金具と、
上記支持金具に設けられた係止部と、
上記係止部に着脱式に係止されて上記支持金具によって支持された拡散板と
を備えたことを特徴とするエレベータかごの照明装置。
【請求項２】
上記支持金具が、環状の照明灯を周方向に離間した複数の位置で支持するように、上記複数の位置に対応して設けられていることを特徴とする請求項１に記載のエレベータかごの照明装置。
【請求項３】
上記支持金具が、上記基板に結合された結合部と、上記結合部から延びた支持腕とを備え、上記支持腕が、上記結合部から全体として上記基板に対して垂直方向に上記照明灯に向かって延びた根本部と、上記根本部から上記照明灯に沿って湾曲して延びて上記照明灯を支持する中間部と、上記照明灯から離れて更に垂直方向に延びて上記係止部を支持する先端部とを備えていることを特徴とする請求項１あるいは２に記載のエレベータかごの照明装置。
【請求項４】
上記支持金具が少なくとも２本の上記支持腕を備えていて、上記係止部が少なくともいずれか一方の上記支持腕に設けられていることを特徴とする請求項１〜３のいずれか一項に記載のエレベータかごの照明装置。
【請求項５】
２つの上記支持金具の上記結合部が上記２本の支持腕に共通であることを特徴とする請求項４に記載のエレベータかごの照明装置。
【請求項６】
上記係止部が、上記支持金具の上記先端部と連続した一体の延長部分であることを特徴とする請求項１〜５のいずれか一項に記載のエレベータかごの照明装置。
【請求項７】
上記係止部が、上記支持金具の上記先端部からほぼ水平方向に延びた支持部と、上記支持部からほぼ垂直上方に延びた停止片とを備えていることを特徴とする請求項１〜６のいずれか一項に記載のエレベータかごの照明装置。
【請求項８】
上記拡散板が上記支持金具を受け入れて係合する係合穴を備えていることを特徴とする請求項１〜７のいずれか一項に記載のエレベータかごの照明装置。
【請求項９】
上記係合穴が、上記支持部を垂直方向に受け入れる第１開口部と、上記第１開口部から離間して設けられて、上記第１開口部内で水平方向に移動した上記係止部の上記停止片を受け入れる第２開口部とを備えていることを特徴とする請求項７あるいは８に記載のエレベータかごの照明装置。
【発明の詳細な説明】
【技術分野】
【０００１】
本発明はエレベータかごの照明装置に関し、特にエレベータかごの天井に設けられて拡散板と共に用いる蛍光灯によるエレベータかごの照明装置に関するものである。
【背景技術】
【０００２】
従来のエレベータかごの照明装置においては、例えば特許文献１に記載されているように、天井の下面に円形蛍光灯を装着し、円形蛍光灯の下方に照明板を設けて光天井を形成してある。また、中間散光体を円筒部及び円筒部の下端部から円形蛍光灯と対面する板状部によって形成し、円筒部を円形蛍光灯の中心位置に配置する。そして、係止機構を円筒部と天井部材に設けて中間散光体を天井下面に着脱自在に係止する。これによって、円形蛍光灯の取り替え時には、係止機構によって支持された中間散光体を天井部材から容易に撤去することができ、円形蛍光灯の保守作業が容易になる。
【０００３】
【特許文献１】特開平１０−２９７８４７号公報
【発明の開示】
【発明が解決しようとする課題】
【０００４】
このような従来のエレベータかごの照明装置においては、中間散光体の板状部の中央に開口があって、中空円筒形の中央部によって支持されたもので、環状の蛍光灯が中央の円筒部を囲むように取り付けられている。中央部とその周囲とに陰影ができ、光ムラが生じるのを防ぐため、透光性の中間散光体の光透過率を高さ方向に変えていた。このために中空円筒部の高さが必要であり、照明装置全体の高さ寸法が大きくなって、薄型化ができなくなっていた。
【０００５】
また、中間散光体は中央部だけで支持されているので、円筒部だけでなく板状部の剛性も必要であり、一般には厚さの厚い材料を使用しなければならなかった。
【０００６】
従ってこの発明の目的は、薄型化が可能なエレベータかごの照明装置を提供することである。
【課題を解決するための手段】
【０００７】
この発明のエレベータかごの照明装置は、エレベータかごの天井に装着される基板と、上記基板に設けられて照明灯を支持する支持金具と、上記支持金具に設けられた係止部と、上記係止部に着脱式に係止されて上記支持金具によって支持された拡散板とを備えたことを特徴とするエレベータかごの照明装置である。
【発明の効果】
【０００８】
この発明のエレベータかごの照明装置によれば、薄型化できるという効果が得られる。
【発明を実施するための最良の形態】
【０００９】
実施の形態１．
図１はこの発明のエレベータかごの照明装置の一実施形態をエレベータかごに取り付けた例を示す概略平面図であり、図２は図１の概略側面図であり、図３は図２の２点鎖線の楕円Ａで囲んだ部分の拡大図であり、図４は図３の照明板を除去した平面図であり、図５は図３の２点鎖線の楕円Ｂで囲んだ部分の拡大図であり、図６は支持金具に拡散板を取り付ける前の状態を示す概略斜視図であり、図７は支持金具に拡散板を取り付けた状態を示す概略斜視図である。
【００１０】
図１〜７において、この発明のエレベータかごの照明装置は、エレベータかご１の頂壁２に装着される基板３と、基板３に設けられて環状の円形蛍光灯である照明灯４を支持する支持金具５と、支持金具５の先端部に設けられたフック状の係止部６と、係止部６に着脱式に係止されて支持金具５によって支持された拡散板７とを備えている。図示の例では、拡散板７は合成樹脂製の透光性であるが光を拡散させる平面状の円板部材であり、またかご１の頂壁２にはこのような照明装置が４つ配置されていて、４つの照明装置と共に頂壁２の全体を覆って、かごの天井を形成するように透光性の天井板８が設けられている。
【００１１】
基板３は、図示の例では、頂壁２にネジ、鋲、溶接等の適当な固定手段によって取り付けられ、径方向に延びた３本の脚部を持つ板部材であり、基板３の各脚部の先端には、照明灯４を支持するための支持金具５が１つずつ鋲９等の適当な固着手段によって取り付けられている。
【００１２】
支持金具５は、環状（円形）の照明灯４を周方向に離間した複数の位置で支持するように、複数の位置に対応して基板３に設けられている。図示の例では、支持金具５は、安定した支持が得られるように、照明灯４の周方向に互いに約１２０度離間した３箇所に１つずつ設けられている。
【００１３】
支持金具５は、全体としてほぼＵ字型に曲げられた比較的細長い弾性のある金属板部材であり、基板３に鋲９で結合された結合部１０と、結合部１０の照明灯４の径方向両端部から全体として基板３に対して垂直方向（図で下方）に照明灯４に向かって延びた第１および第２の支持腕１１および１２とを備え、照明灯４を第１および第２の支持腕１１、１２の間に鋏んで保持するものである。第１および第２の支持腕１１、１２は、それぞれ共通の結合部１０からほぼ直角に折り曲げられた根本部１３と、根本部１３から照明灯４の外周面に沿って湾曲して延びて照明灯４を支持する中間部１４と、中間部１４に連続して照明灯４から離れて更に垂直方向（図で下方）に延びた先端部１５とを備えている。第１および第２の支持腕１１、１２を弾性力に抗して開いて、先端部１５の間から照明灯４を圧入すれば、照明灯４が湾曲した中間部１４間に弾性的に受け入れられて保持される。
【００１４】
また第１の支持腕１１の先端部１５は、第２の支持腕１２の先端部１５よりも僅かに長くされていて、そこに係止部６が設けられている。係止部６は、先端部１５からほぼ直角に径方向外側に折り曲げられてほぼ水平方向に延びた支持部１６と、支持部１６からほぼ直角に折り曲げられてほぼ垂直上方に延びた停止片１７とを備えている。
【００１５】
このように、支持金具５は、１つの共通の結合部１０に連結された第１および第２の支持腕１１、１２を備えていて、係止部６は照明灯４に対して径方向外側の第１の支持腕１１にだけ、支持腕１１の連続した一体の延長部分として設けられている。しかしながら、支持金具５が円形の照明灯４を等間隔に３位置以上で支持するように配置されていれば、支持金具５は第１および第２の支持腕１１、１２のいずれか一方だけを持つものであっても良い。円形の照明灯４の内側の第２の支持腕１２に係止部６を設ける場合には係止部６は支持腕１２の先端部１５から径方向内側に向けて折り曲げる方が良い。
【００１６】
図６および図７に示されているように、円形の照明灯４を覆うように円形に形成された拡散板７には、支持金具５に対応する位置に、支持金具５を受け入れて係止部６に係合する係合穴１８が形成されている。係合穴１８は、支持金具５の係止部６を垂直方向に受け入れる第１開口１９と、第１開口１９から円形の照明灯４の周方向に離間して設けられて、第１開口１９内で水平方向（図示の場合は周方向）に移動した係止部６の停止片１７を受け入れる第２開口２０とを備えている。第１開口１９は全体としてほぼＬ字型で、係止部６の支持部１６を垂直方向に受け入れることができるような大きさおよび形状にされ、径方向に延びた矩形部分２１と、この矩形部分２１から連続して周方向に延びた溝部分２２とを持っている。
【００１７】
拡散板７を支持金具５に取り付けるときには、頂壁２に取り付けられた支持金具５の係止部６の支持部１６に、拡散板７の第１開口１９の矩形部分２１を合わせ、拡散板７を持ち上げて係止部６が拡散板７を越えるまで挿入し、拡散板７を周方向に回転させて支持金具５を第１開口１９の溝部分２２に沿って移動させる。溝部分２２の終端に達したときに拡散板７を降下させると、支持部１６が第１開口１９と第２開口２０との間の部分を下方から支持し、係止部６の停止片１７が第２開口２０内に嵌合して、拡散板７が周方向を含めて水平面内で移動できなくなって、支持金具５によって支持される。
【００１８】
拡散板７を支持金具５から取り外すときには、上と逆に、拡散板７を持ち上げて停止片１７を第２開口２０から外し、拡散板７を周方向に回転させて支持金具５の係止部６を第１開口１９の矩形部に一致させ、その位置で拡散板７を降下させればよい。
【００１９】
このように、この発明のエレベータかごの照明装置によれば、拡散板が平面状であり、支持金具によって平面部分を支持しているので、光ムラを低減させることができる。また、拡散板を分散した複数箇所で支持するので、拡散板の厚さを薄くすることができる。更に、照明灯を支持する支持金具を拡散板の支持にも利用しているため、部品点数を増加させず、聡明装置全体の高さを小さく抑えることができ、薄型化が実現できる。更に、支持金具と拡散板との係合部分を目視できるので、拡散板の取付取り外し、照明灯の取付取り外し作業時の組立分解作業が容易で確実なものとなる。
【００２０】
実施の形態２．
図８および図９に示すエレベータかごの照明装置においては、支持金具５の第２の支持腕１２にも係止部６と同様の構成の係止部２３が設けられ、これに対応して拡散板７に係合穴１８と同様の構成の係合穴２４が設けられている。
【００２１】
このエレベータかごの照明装置は、支持金具の２本の支持腕の両方で拡散板に係合しているので、拡散板の支持が確実になる。また、支持金具が２本の支持腕を持っていて対称の形状をしているため、支持金具５を基板３に取り付ける作業時に、支持金具の向きに注意を払う必要がなく、作業が容易である。
【００２２】
この発明のエレベータかごの照明装置は、これまでいくつかの実施の形態として説明した構成の他に様々な変更、変形などを適用することができる。
【００２３】
例えば、支持金具５を係合させるために拡散板７に設ける係合穴を、図１０に示す係合穴２５とすることができる。この係合穴２５は、拡散板７の外周縁に連通して外部に開いた矩形の切り欠きである第１開口２６と、対応した第２開口２０とを有している。この係合穴２５は、図９の第２の支持腕１２に対応して設けられた係合穴２４における溝部分２２が拡散板７の外周縁となっていることが相違しているが、その他の点では対応している。
【００２４】
また図１１に示す係合穴２７は支持金具５の厚さに対応する幅のスリット状の第１開口２８と第２開口２９とを備えている。これに対応して支持金具５に設けられた係止部３０は支持金具５の先端部１５の側縁から張り出したフック状の支持部３１と停止片３２とを備えている。
【図面の簡単な説明】
【００２５】
【図１】この発明のエレベータかごの照明装置の一実施形態をエレベータかごに取り付けた例を示す概略平面図である。
【図２】図１の概略側面図である。
【図３】図２の２点鎖線の楕円Ａで囲んだ部分の拡大図である。
【図４】図３の照明板を除去した平面図である。
【図５】図３の２点鎖線の楕円Ｂで囲んだ部分の拡大図である。
【図６】支持金具に拡散板を取り付ける前の状態を示す概略斜視図である。
【図７】支持金具に拡散板を取り付けた状態を示す概略斜視図である。
【図８】この発明のエレベータかごの照明装置の別の実施の形態を図３に対応して示す図である。
【図９】図８の支持金具に拡散板を取り付けた状態を示す概略斜視図である。
【図１０】係合穴の変形例を示す概略斜視図である。
【図１１】係合穴と支持金具の変形例を示す概略斜視図である。
【符号の説明】
【００２６】
１  かご、２  頂壁、３  基板、４  照明灯、５  支持金具、６  係止部、７  拡散板、８  天井板、９  鋲、１０  結合部、１１  支持腕、１２  支持腕、１３  根本部、１４  中間部、１５  先端部、１６  支持部、１７  停止片、１８  係合穴、１９  第１開口、２０  第２開口、２１  矩形部分、２２  溝部分、２３  係止部、２４  係合穴、２５  係合穴、２６  第１開口、２７  係合穴、２８  第１開口、２９  第２開口、３０  係止部、３１  支持部、３２  停止片。
【図１】
2009196763.tif 000003
【図２】
2009196763.tif 000004
【図３】
2009196763.tif 000005
【図４】
2009196763.tif 000006
【図５】
2009196763.tif 000007
【図６】
2009196763.tif 000008
【図７】
2009196763.tif 000009
【図８】
2009196763.tif 000010
【図９】
2009196763.tif 000011
【図１０】
2009196763.tif 000012
【図１１】
2009196763.tif 000013